(57)【要約】      （修正有）【課題】折りたたみ方が簡単で、かつ、折りたたんだ状態から展開する操作を行わない限りは折りたたんだ状態を保持し、名刺交換により相手方に強い印象を与える。【解決手段】第１折り曲げ線１４ａと第２折り曲げ線１４ｂとによって、シート１２の領域を第１領域１２ａと第２領域１２ｂと第３領域１２ｃとに分割するとともに、第２領域の幅が第１領域の幅以下の大きさであり、かつ、第３領域の幅が第２領域の幅よりも狭く設定し、第１領域の上縁部から第３領域の側端部にかけてシートの上端部を三角形形状に折り曲げる第３折り曲げ線１４ｃを形成して、シートの上端部の領域に三角形形状の第４領域１２ｄを形成し、第１領域上に第２領域と第３領域とを重ねた際に、第３折り曲げ線により折り曲げ形成された三角形形状の第４領域が第３領域の側端部と形成する角部を嵌入可能な切り込みを形成する。【選択図】図２
0003135203.tif 000002
【実用新案登録請求の範囲】
【請求項１】
長方形形状の折り曲げ可能なシートよりなり、
前記シートに前記長方形形状の短辺に平行するように第１折り曲げ線と第２折り曲げ線との２本の折り曲げ線を形成して、前記第１折り曲げ線と前記第２折り曲げ線とによって、前記シートの領域を前記第１折り曲げ線と前記第２折り曲げ線との間に位置する第１領域と前記第１折り曲げ線を介して前記第１領域と連接する第２領域と前記第２折り曲げ線を介して前記第１領域と連接する第３領域との３つの領域に分割されるようにするとともに、前記第１領域と前記第２領域と前記第３領域とにおける前記長方形形状の長辺方向に沿う幅について、前記第２領域の幅が前記第１領域の幅以下の大きさであり、かつ、前記第３領域の幅が前記第２領域の幅よりも狭く設定されるようにし、
前記シートの前記第１領域の上縁部から前記第３領域の前記長方形形状の短辺に沿う側端部にかけて前記シートの上端部を三角形形状に折り曲げる第３折り曲げ線を形成して、前記第３折り曲げ線によって、前記シートの前記上端部の領域に三角形形状の第４領域を形成し、
前記シートの前記第２領域に、前記シートの前記第１領域上に前記第２領域と前記第３領域とを重ねた際に、前記第３折り曲げ線により折り曲げ形成された三角形形状の前記第４領域が前記第３領域の前記長方形形状の短辺に沿う前記側端部と形成する角部を嵌入可能な切り込みを形成し、
前記シートを前記第３折り曲げ線が谷折れ線となるようにして折り曲げて、前記第４領域を前記第１領域から前記第３領域にかけて前記第１領域および前記第３領域の上に折り重ね、
前記シートを前記第１折り曲げ線が山折れ線となるようにして折り曲げ、前記第２領域を前記第１領域の上に折り重ね、
前記シートを前記第２折り曲げ線が山折れ線となるようにして折り曲げ、前記第３領域を前記第１領域上に重ねられた前記第２領域の上に折り重ねるとともに、前記角部を前記切り込み内に嵌入して、
前記シートを折りたたんだ状態に保持する
ことを特徴とする折りたたみ名刺。
【請求項２】
請求項１に記載の折りたたみ名刺において、
前記第１領域の面積を従来の名刺と略同じ大きさとし、
前記第２領域の面積を前記第１領域の面積と略同じ大きさとし、
前記第３領域の前記長方形形状の長辺方向に沿う幅を、前記第２領域の前記長方形形状の長辺方向に沿う幅の略半分の大きさとした
ことを特徴とする折りたたみ名刺。
【請求項３】
請求項１または２のいずれか１項に記載の折りたたみ名刺において、
前記切り込みを形成した領域近傍の色彩と該領域近傍の周囲の領域の色彩とが異なるように彩色した
ことを特徴とする折りたたみ名刺。
【請求項４】
請求項１、２または３のいずれか１項に記載の折りたたみ名刺において、
前記シートを折りたたんだ状態における前記第１領域の露出面に、名刺として必要な情報を印刷し、
前記第１領域の前記露出面以外の前記シートの領域に、前記名刺として必要な情報を除く所望の情報を印刷した
ことを特徴とする折りたたみ名刺。
【考案の詳細な説明】
【技術分野】
【０００１】
本考案は、折りたたみ名刺に関し、さらに詳細には、折りたたんだ状態から展開して伸張自在な折りたたみ名刺に関する。
【背景技術】
【０００２】
従来より、ビジネスなどにおいて用いられている名刺は、例えば、縦９ｃｍ×横５．５ｃｍ程度の大きさの長方形形状の一枚の紙片により形成されており、この紙片の表面や裏面に、会社名、部署名、役職名、氏名、住所、電話番号、ファクシミリ番号ならびにメールアドレスなどの名刺として必要な情報が印刷されている。
【０００３】
しかしながら、上記したような従来の名刺では、当該名刺における表面および裏面の面積が小さいため、当該名刺上に表示することのできる情報量が少なく、会社案内や商品案内などの名刺として必要な情報を除く所望の情報を印刷することが困難であるという問題点があった。
【０００４】
このため、例えば、特許文献１として提示する実用新案登録第３１０８５９７号公報に開示されているように、複数のシート片を谷折り線や山折り線を介して縦横に連設するとともに、これら複数のシート片を重合状に折りたたみ、展開自在となるように形成した折りたたみシートからなる折りたたみ名刺が提案されている。
【０００５】
こうした折りたたみ名刺によれば、複数のシート片の表面や裏面に情報を印刷することができるため、名刺に記載可能な情報量を著しく増加することができ、会社案内や商品案内などを容易に記載できるものであった。
【０００６】
しかしながら、上記した折りたたみ名刺は、折りたたみ方が複雑で折りたたみ難く、かつ、折りたたんだ状態で保持したいにも関わらず容易に展開してしまうという新たな問題点を招来するととももに、折りたたんだ状態における表面の形状は従来の一枚の紙片により形成されている名刺と何ら異なるところがないため斬新性に欠け、名刺交換により名刺を渡す相手方に強い印象を与えることができないという問題点もあった。
【特許文献１】実用新案登録第３１０８５９７号公報
【考案の開示】
【考案が解決しようとする課題】
【０００７】
本考案は、従来の技術の有する上記したような種々の問題点に鑑みてなされたものであり、その目的とするところは、折りたたみ方が簡単で折りたたみ易く、かつ、折りたたんだ状態から展開する操作を行わない限りは折りたたんだ状態を保持することができ、しかも名刺交換により名刺を渡す相手方に強い印象を与えることが可能な折りたたみ名刺を提供しようとするものである。
【課題を解決するための手段】
【０００８】
上記目的を達成するために、本考案のうち請求項１に記載の考案は、長方形形状の折り曲げ可能なシートよりなり、上記シートに上記長方形形状の短辺に平行するように第１折り曲げ線と第２折り曲げ線との２本の折り曲げ線を形成して、上記第１折り曲げ線と上記第２折り曲げ線とによって、上記シートの領域を上記第１折り曲げ線と上記第２折り曲げ線との間に位置する第１領域と上記第１折り曲げ線を介して上記第１領域と連接する第２領域と上記第２折り曲げ線を介して上記第１領域と連接する第３領域との３つの領域に分割されるようにするとともに、上記第１領域と上記第２領域と上記第３領域とにおける上記長方形形状の長辺方向に沿う幅について、上記第２領域の幅が上記第１領域の幅以下の大きさであり、かつ、上記第３領域の幅が上記第２領域の幅よりも狭く設定されるようにし、上記シートの上記第１領域の上縁部から上記第３領域の上記長方形形状の短辺に沿う側端部にかけて上記シートの上端部を三角形形状に折り曲げる第３折り曲げ線を形成して、上記第３折り曲げ線によって、上記シートの上記上端部の領域に三角形形状の第４領域を形成し、上記シートの上記第２領域に、上記シートの上記第１領域上に上記第２領域と上記第３領域とを重ねた際に、上記第３折り曲げ線により折り曲げ形成された三角形形状の上記第４領域が上記第３領域の上記長方形形状の短辺に沿う上記側端部と形成する角部を嵌入可能な切り込みを形成し、上記シートを上記第３折り曲げ線が谷折れ線となるようにして折り曲げて、上記第４領域を上記第１領域から上記第３領域にかけて上記第１領域および上記第３領域の上に折り重ね、上記シートを上記第１折り曲げ線が山折れ線となるようにして折り曲げ、上記第２領域を上記第１領域の上に折り重ね、上記シートを上記第２折り曲げ線が山折れ線となるようにして折り曲げ、上記第３領域を上記第１領域上に重ねられた上記第２領域の上に折り重ねるとともに、上記角部を上記切り込み内に嵌入して、上記シートを折りたたんだ状態に保持するようにしたものである。
【０００９】
また、本考案のうち請求項２に記載の考案は、本考案のうち請求項１に記載の考案において、上記第１領域の面積を従来の名刺と略同じ大きさとし、上記第２領域の面積を上記第１領域の面積と略同じ大きさとし、上記第３領域の上記長方形形状の長辺方向に沿う幅を、上記第２領域の上記長方形形状の長辺方向に沿う幅の略半分の大きさとしたものである。
【００１０】
また、本考案のうち請求項３に記載の考案は、本考案のうち請求項１または２のいずれか１項に記載の考案において、上記切り込みを形成した領域近傍の色彩と該領域近傍の周囲の領域の色彩とが異なるように彩色したものである。
【００１１】
また、本考案のうち請求項４に記載の考案は、本考案のうち請求項１、２または３のいずれか１項に記載の考案において、上記シートを折りたたんだ状態における上記第１領域の露出面に、従来の名刺として必要な情報を印刷し、上記第１領域の上記露出面以外の上記シートの領域に、上記従来の名刺として必要な情報を除く所望の情報を印刷したものである。
【考案の効果】
【００１２】
本考案は、以上説明したように構成されているので、折りたたみ方が簡単で折りたたみ易く、かつ、折りたたんだ状態から展開する操作を行わない限りは折りたたんだ状態を保持することができ、しかも名刺交換により名刺を渡す相手方に強い印象を与えることが可能な折りたたみ名刺を提供することができるという優れた効果を奏する。
【考案を実施するための最良の形態】
【００１３】
以下、添付の図面を参照しながら本考案による折りたたみ名刺の実施の形態の一例を詳細に説明するものとする。
【００１４】
ここで、図１（ａ）には本考案による折りたたみ名刺の完全に折りたたんだ状態の正面説明図が示されており、図１（ｂ）には図１（ａ）の背面説明図が示されており、図２（ａ）には本考案による折りたたみ名刺の完全に展開した状態の正面説明図が示されており、図２（ｂ）には図２（ａ）の背面説明図が示されており、図３（ａ）には本考案による折りたたみ名刺の一部を折りたたんだ状態の正面説明図が示されており、図３（ｂ）には図３（ａ）の背面説明図が示されており、図４（ａ）（ｂ）には本考案による折りたたみ名刺の完全に折りたたんだ状態と完全に展開した状態との中間の状態を示す説明図が示されている。
【００１５】
なお、上記した各図において、後述する各種折り曲げ線は二点鎖線で示し、外観からは視認できない部位については破線で示している。
【００１６】
また、上記した各図に示された白抜き丸印は、適宜に設定される任意の会社名、部署名、役職名、氏名、住所、電話番号、ファクシミリ番号ならびにメールアドレスなどの名刺として必要な情報の印刷内容を示し、また、上記した各図に示された白抜き三角印は、適宜に設定される任意の会社案内や商品案内などの名刺として必要な情報を除く所望の情報の印刷内容を示す。
【００１７】
この折りたたみ名刺１０は、長方形形状の紙片やプラスチックフィルムなどの折り曲げ可能な薄いシート１２により構成されている。なお、この実施の形態においては、長方形形状のシート１２の短辺の長さは、従来の名刺の縦方向の長さ略同一の長さとなるように設定した。
【００１８】
このシート１２には、長方形形状の短辺に平行するように第１折り曲げ線１４ａと第２折り曲げ線１４ｂとの２本の折り曲げ線が形成されていて、これら２本の折り曲げ線たる第１折り曲げ線１４ａと第２折り曲げ線１４ｂとによって、シート１２の領域が第１折り曲げ線１４ａと第２折り曲げ線１４ｂとを介して第１領域１２ａと第２領域１２ｂと第３領域１２ｃとの３つの領域に分割されるようになされている。
【００１９】
即ち、第１折り曲げ線１４ａと第２折り曲げ線１４ｂとによって、シート１２の領域が、第１折り曲げ線１４ａと第２折り曲げ線１４ｂとの間に位置する第１領域１２ａと、第１折り曲げ線１４ａを介して第１領域１２ａと連接する第２領域１２ｂと、第２折り曲げ線１４ｂを介して第１領域１２ａと連接する第３領域１２ｃとの３つの領域に分割されることになる。
【００２０】
ここで、第１領域１２ａと第２領域１２ｂと第３領域１２ｃとにおけるシート１２の長方形形状の長辺方向に沿う幅に関して、第２領域１２ｂの幅Ｗ２が第１領域の幅Ｗ１以下の大きさとなり、かつ、第３領域１２ｃの幅Ｗ３が第２領域１２ｂの幅Ｗ２よりも狭くなるように、第１折り曲げ線１４ａと第２折り曲げ線１４ｂとを形成する位置を設定する。
【００２１】
なお、この実施の形態においては、第１領域１２ａの幅Ｗ１が従来の名刺の横方向の長さと略同一となり、第２領域１２ｂの幅Ｗ２が第１領域１２ａの幅Ｗ１と略同一となり、第３領域１２ｃの幅Ｗ３が第２領域１２ｂの幅Ｗ２の略半分となるように、第１折り曲げ線１４ａと第２折り曲げ線１４ｂとを形成する位置を設定した。
【００２２】
従って、この実施の形態においては、第１領域１２ａと第２領域１２ｂとの面積は、従来の名刺の面積と略同一の大きさとなる。
【００２３】
また、シート１２には、上記した２本の折り曲げ線たる第１折り曲げ線１４ａおよび第２折り曲げ線１４ｂに加えて、第１領域１２ａの上縁部１２ａａから第３領域１２ｃにおけるシート１２の長方形形状の短辺に沿う側端部１２ｃａにかけて、シート１２の上端部を三角形形状に折り曲げる第３折り曲げ線１４ｃが形成されている。
【００２４】
なお、第３折り曲げ線１４ｃにより折り曲げ形成された三角形形状の領域を、第４領域１２ｄと称することとする。
【００２５】
また、シート１２の第２領域１４ｂには、シート１２の第１領域１４ａ上に第２領域１４ｂと第３領域１４ｃとを重ねた際に、第３折り曲げ線１４ｃにより折り曲げ形成された三角形形状の第４領域１２ｄが第３領域１２ｃの側端部１２ｃａと形成する角部１２ｅを嵌入可能な切り込み１６が形成されている。
【００２６】
なお、この実施の形態においては、切り込み１６の箇所を明瞭に認識することができるように、切り込み１６を形成した領域近傍１８に周囲の領域とは異なる色彩を施している（図においては、領域近傍１８を斜線で示している。）。
【００２７】
ここで、シート１２の正面ならびに背面には、それぞれ任意の情報を印刷可能であるが、この実施の形態においては、シート１２の第１領域１４ａの正面には、適宜に設定される任意の会社名、部署名、役職名、氏名、住所、電話番号、ファクシミリ番号ならびにメールアドレスなどの名刺として必要な情報を印刷し、また、シート１２の他の領域には、適宜に設定される任意の会社案内や商品案内などの名刺として必要な情報を除く所望の情報を印刷するようにした。
【００２８】
以上の構成において、展開された状態の折りたたみ名刺１０（図２（ａ）（ｂ）参照）を折りたたむには、シート１２の正面視において第３折り曲げ線１４ｃが谷折れ線、即ち、シート１２の背面視において第３折り曲げ線１４ｃが山折れ線となるようにして折り曲げ、第４領域１２ｄを第１領域１２ａから第３領域１２ｃにかけて第１領域１２ａおよび第３領域１２ｃの上に折り重ねる。
【００２９】
次に、シート１２の正面視において第１折り曲げ線１４ａが山折れ線、即ち、シート１２の背面視において第１折り曲げ線１４ａが谷折れ線となるようにして折り曲げ、第２領域１４ｂを第１領域１２ａの上に折り重ねる。
【００３０】
さらに、シート１２の正面視において第２折り曲げ線１４ｂが山折れ線、即ち、シート１２の背面視において第２折り曲げ線１４ｂが谷折れ線となるようにして折り曲げ、第３領域１２ｃを第１領域１２ａ上に重ねられた第２領域１２ｂの上に折り重ねるとともに、角部１２ｅを切り込み１６内に嵌入する。
【００３１】
上記したように角部１２ｅを切り込み１６内に嵌入することによって、シート１２を折りたたんだ状態が保持される。
【００３２】
この折りたたみ名刺１０が完全に折りたたまれた状態における全体の厚さは、従来の名刺と同様に薄いものであるるが、正面視における左上部において第１領域１２ａと第２領域１２ｂと第４領域１２ｄとが三段に重なって視認されるため、全体として立体感のある極めて斬新な特異な形状が現出する。
【００３３】
この折りたたんだ状態に折りたたみ名刺１０の正面視あるいは背面視における面積は、第１領域１４ａの面積となり、第１領域１４ａの面積を従来の名刺と同等の大きさとしておけば、従来の名刺入れをそのまま使用することができる。
【００３４】
従って、上記した折りたたみ名刺１０によれば、折りたたみ方が簡単で折りたたみ易く、かつ、折りたたんだ状態から展開する操作を行わない限りは折りたたんだ状態を保持することができる。
【００３５】
また、上記した折りたたみ名刺１０によれば、折りたたんだ状態においては、従来の名刺と同様に相手方と名刺交換することができ、また、折りたたんだ状態の形態に立体感があり極めて斬新で特異であるため、名刺交換により名刺を渡す相手方に強い印象を与えることができる。
【００３６】
また、シート１２の正面および背面の全体にわたって印刷を行うことができるため、名刺交換により名刺を渡す相手方に多大な量の情報を渡すことができる。
【産業上の利用可能性】
【００３７】
本考案は、ビジネス活動はもとより、趣味のサークルなどでの名刺交換の際に利用することができる。
【図面の簡単な説明】
【００３８】
【図１】図１（ａ）は、本考案による折りたたみ名刺の完全に折りたたんだ状態の正面説明図であり、また、図１（ｂ）は、図１（ａ）の背面説明図である。
【図２】図２（ａ）は、本考案による折りたたみ名刺の完全に展開した状態の正面説明図であり、また、図２（ｂ）は、図２（ａ）の背面説明図である。
【図３】図３（ａ）は、本考案による折りたたみ名刺の一部を折りたたんだ状態の正面説明図であり、また、図３（ｂ）は、図３（ａ）の背面説明図である。
【図４】図４（ａ）（ｂ）は、本考案による折りたたみ名刺の完全に折りたたんだ状態と完全に展開した状態との中間の状態を示す説明図である。
【符号の説明】
【００３９】
１０      折りたたみ名刺
１２      シート
１２ａ    第１領域
１２ｂ    第２領域
１２ｃ    第３領域
１２ｄ    第４領域
１４ａ    第１折り曲げ線
１４ｂ    第２折り曲げ線
１４ｃ    第３折り曲げ線
１６      切り込み
１８      切り込みを形成した領域近傍
【図１】
0003135203.tif 000003
【図２】
0003135203.tif 000004
【図３】
0003135203.tif 000005
【図４】
0003135203.tif 000006